(57)【要約】【課題】複数のＬＥＤ基板がシャーシに取り付けられる構成を有する光源装置の反射シートの浮き上がりを防止することを製造工程を増加させることなく実現する光源装置、画像表示装置、及び、テレビジョン受像機を提供すること。【解決手段】回路基板２１、回路基板２１の一面に取り付けられた発光素子２３、及び、回路基板２１を支持する支持面を有する支持体３を備える光源装置において、一面の少なくとも一部を露出させる貫通孔１２を有し、支持面に被装されている有孔反射シート１と、一面側に一面の縁部より外側に延出して配置され、縁部が貫通孔の縁部を覆っている延出反射シート２２とを備える光源装置、表示装置、及び、テレビジョン受像機。【選択図】図５
2012104232.tif 000002
【特許請求の範囲】
【請求項１】
回路基板、該回路基板の一面に取り付けられた発光素子、及び、前記回路基板を支持する支持面を有する支持体を備える光源装置において、
前記一面の少なくとも一部を露出させる貫通孔を有し、前記支持面に被装されている有孔反射シートと、
前記一面側に該一面の縁部より外側に延出して配置され、縁部が前記貫通孔の縁部を覆っている延出反射シートとを備えることを特徴とする光源装置。
【請求項２】
前記回路基板は、電力を供給するための接続部を前記一面の端部に備え、前記有孔反射シートの前記貫通孔が設けられていない部分が、前記接続部を覆っていることを特徴とする請求項１記載の光源装置。
【請求項３】
前記回路基板は、電力を供給するための接続部を前記一面の端部に備え、前記延出反射シートが、前記接続部を覆っていることを特徴とする請求項１記載の光源装置。
【請求項４】
回路基板、該回路基板の一面に取り付けられた発光素子、及び、前記回路基板を支持する支持面を有する支持体を備える光源装置において、
前記一面の少なくとも一部を露出させる貫通孔を有し、前記支持面に被装されている有孔反射シートを備え、
該有孔反射シートの貫通孔の縁部を含む一部が前記回路基板の他面側に配置されていることを特徴とする光源装置。
【請求項５】
前記支持面は、前記有孔反射シートの前記回路基板の他面側に配置されている一部に対応する位置に凹部を有することを特徴とする請求項４記載の光源装置。
【請求項６】
前記有孔反射シートは、前記貫通孔を複数有し、隣接する２つの貫通孔の間の部分が、前記回路基板の他面と前記支持面との間に配置されていることを特徴とする請求項４又は５記載の光源装置。
【請求項７】
請求項１から６の何れか一項に記載の光源装置と、
前記光源装置からの光が照射される表示パネルと
を備えることを特徴とする画像表示装置。
【請求項８】
請求項７に記載の画像表示装置と、
テレビジョン電波を受信して前記画像表示装置に対して映像を出力するチューナ装置と
を備えることを特徴とするテレビジョン受像機。
【発明の詳細な説明】
【技術分野】
【０００１】
本発明は、光源装置、画像表示装置、及び、テレビジョン受像機に関する。
【背景技術】
【０００２】
従来、直下型のＬＥＤ光源装置を備える画像表示装置の構造が開示されている（例えば、特許文献１、２参照）。特許文献１、及び、２に記載の光源装置は、シャーシ、及び、ＬＥＤ基板を備える。シャーシには、ＬＥＤ基板が取り付けられている。ＬＥＤ基板には、複数のＬＥＤが実装され、各々のＬＥＤを覆うようにレンズが設けられている。
【０００３】
ところで、大画面の画像表示装置が備える光源装置は、必要となるＬＥＤ数が多くなるため、特許文献１に記載のごとく、一枚のＬＥＤ基板に多数のＬＥＤを実装する構成の光源装置は、製造する際の組み立て作業が容易ではない。そこで、特許文献２には、細長い矩形形状をなすＬＥＤ基板を長手方向に接続したものを、並列にシャーシに取り付ける光源装置が記載されている。ＬＥＤ基板は、基板シートにＬＥＤとレンズとを実装した後に、短冊状に基板シートを分割して製造する。これにより、組立作業性が向上する。
【０００４】
光源装置は、さらに、ＬＥＤの光を画像表示装置が備える液晶パネルに対して歪み無く投光するための反射手段を備える。特許文献２には、反射手段として、レンズに対応する位置に孔が設けられた反射シートが図示されている。
【０００５】
反射シートは、例えば、反射性を有する樹脂材料からなり、シャーシに取り付けられたＬＥＤ基板のレンズ以外を覆うようにＬＥＤ基板に被装している。大画面の画像表示装置が備える光源装置は、反射シートの面積も大きくなる。ＬＥＤから発生する熱等によって反射シートが膨張し弛みが生じて大きく浮き上がる状態では反射面の形状が歪むため、ＬＥＤからの光を液晶パネルに対して歪み無く投光することができなくなる。
【０００６】
そこで、例えば、リベット等の留め具により反射シートをある程度摺動可能にシャーシに止めることにより、弛みを分散し反射シートの浮き上がりを防ぐようにしている。
【先行技術文献】
【特許文献】
【０００７】
【特許文献１】特開２００８−４１５４６号公報
【特許文献２】特開２０１０−６２４５６号公報
【発明の概要】
【発明が解決しようとする課題】
【０００８】
しかしながら、反射シートがＬＥＤ基板から離隔することを防止するために留め具を用いるとしても、大画面の画像表示装置が備える光源装置に用いられる大きな反射シートを止めるためには、多数の留め具を使用しなくてはならず、製造工程が増加し、コスト高の原因となる。
【０００９】
本発明は斯かる事情に鑑みてなされたものであり、複数のＬＥＤ基板がシャーシに取り付けられる構成を有する光源装置の反射シートの浮き上がりを防止することを製造工程を増加させることなく実現する光源装置、画像表示装置、及び、テレビジョン受像機を提供することを目的とする。
【課題を解決するための手段】
【００１０】
本発明に係る光源装置は、回路基板、該回路基板の一面に取り付けられた発光素子、及び、前記回路基板を支持する支持面を有する支持体を備える光源装置において、前記一面の少なくとも一部を露出させる貫通孔を有し、前記支持面に被装されている有孔反射シートと、前記一面側に該一面の縁部より外側に延出して配置され、縁部が前記貫通孔の縁部を覆っている延出反射シートとを備えることを特徴とする。
【００１１】
本発明にあっては、有孔反射シートの貫通孔の縁部が延出反射シートにより覆われることにより、有孔反射シートが縁部から浮き上がることを防止することができる。また、浮き上がりを防止する留め具が不要又は留め具の数を減らすことができるので、製造工程を増加させることがない。
【００１２】
また、本発明に係る光源装置は、前記回路基板が、電力を供給するための接続部を前記一面の端部に備え、前記有孔反射シートの前記貫通孔が設けられていない部分が、前記接続部を覆っていることを特徴とする。
【００１３】
本発明にあっては、回路基板の発光素子が実装されている一面に接続部を設けるので、片面回路基板を実現することができ、製造コストを低減することができる。
【００１４】
また、本発明に係る光源装置は、前記回路基板が、電力を供給するための接続部を前記一面の端部に備え、前記延出反射シートが、前記接続部を覆っていることを特徴とする。
【００１５】
本発明にあっては、回路基板の発光素子が実装されている一面に接続部を設けるので、片面回路基板を実現することができ、製造コストを低減することができる。
【００１６】
また、本発明に係る光源装置は、回路基板、該回路基板の一面に取り付けられた発光素子、及び、前記回路基板を支持する支持面を有する支持体を備える光源装置において、前記一面の少なくとも一部を露出させる貫通孔を有し、前記支持面に被装されている有孔反射シートを備え、該有孔反射シートの貫通孔の縁部を含む一部が前記回路基板の他面側に配置されていることを特徴とする。
【００１７】
本発明にあっては、有孔反射シートの貫通孔の縁部を含む一部が回路基板の他面側に配置されることにより、有孔反射シートが縁部から浮き上がることを防止することができる。また、浮き上がりを防止する留め具が不要又は留め具の数を減らすことができるので、製造工程を増加させることがない。
【００１８】
また、本発明に係る光源装置は、前記支持面が、前記有孔反射シートの前記回路基板の他面側に配置されている一部に対応する位置に凹部を有することを特徴とする。
【００１９】
本発明にあっては、有孔反射シートの一部が、回路基板の他面と支持面との間に配置される際に、凹部に収容されるので、有孔反射シートが反射面と略平行な方向に若干移動することができる。これにより、有孔反射シートが回路基板に押さえられることによる歪みを生じたまま、支持体と回路基板との間に挟持されることがなく、製造工程を簡易にすることができるし、製品使用時に、熱膨張による歪みを分散することができ、製品品質の劣化を防ぐことができる。
【００２０】
また、本発明に係る光源装置は、前記有孔反射シートが、前記貫通孔を複数有し、隣接する２つの貫通孔の間の部分が、前記回路基板の他面と前記支持面との間に配置されていることを特徴とする。
【００２１】
本発明にあっては、隣接する２つの貫通孔の間の部分が、回路基板の他面と支持面との間に配置されることにより、有孔反射シートの縁部からの浮き上がりを堅固に防ぐことができる。
【００２２】
また、本発明に係る画像表示装置は、本発明に係る光源装置と、前記光源装置からの光が照射される表示パネルとを備えることを特徴とする。
【００２３】
また、本発明に係るテレビジョン受像機は、本発明に係る画像表示装置と、テレビジョン電波を受信して前記表示装置に対して映像を出力する映像出力装置とを備えることを特徴とする。
【発明の効果】
【００２４】
本発明によれば、複数のＬＥＤ基板がシャーシに取り付けられる構成を有する光源装置の反射シートの浮き上がりを防止することを製造工程を増加させることなく実現する光源装置、画像表示装置、及び、テレビジョン受像機を提供することができる。
【図面の簡単な説明】
【００２５】
【図１】第１の実施の形態に係るテレビジョン受像機の構成を説明する図である。
【図２】第１の実施の形態に係る画像表示装置の構成を説明する図である。
【図３】第１の実施の形態に係る光源装置が備える反射シートを示す図である。
【図４】第１の実施の形態に係る光源装置が備えるＬＥＤ基板を示す図である。
【図５】第１の実施の形態に係るシャーシとシャーシに取り付けられたＬＥＤ基板及び反射シートとの一部を省略した平面図である。
【図６】第１の実施の形態に係るシャーシとシャーシに取り付けられたＬＥＤ基板及び反射シートとの一部を省略したシャーシの短手方向の断面図である。
【図７】第１の実施の形態に係るシャーシとシャーシに取り付けられたＬＥＤ基板及び反射シートとの一部を省略したシャーシの長手方向の断面図である。
【図８】第２の実施の形態に係る反射シートの一部を省略した平面図である。
【図９】第２の実施の形態に係るシャーシとシャーシに取り付けられたＬＥＤ基板及び反射シートとの一部を省略した平面図である。
【図１０】第２の実施の形態に係るシャーシとシャーシに取り付けられたＬＥＤ基板及び反射シートとの一部を省略した断面図である。
【図１１】第３の実施の形態に係る反射シートを示す図である。
【図１２】第３の実施の形態に係るシャーシとシャーシに取り付けられたＬＥＤ基板及び反射シートとの一部を省略した平面図である。
【図１３】第４の実施の形態に係る反射シート、ＬＥＤ基板、及び、それらが取り付けられたシャーシの一部を省略した平面図である。
【図１４】第４の実施の形態に係る反射シート、ＬＥＤ基板、及び、それらが取り付けられたシャーシの一部を省略した断面図である。
【発明を実施するための形態】
【００２６】
以下、本発明の実施の形態を図面に基づいて詳述する。
【００２７】
（第１の実施の形態）
第１の実施の形態は、光源装置を備える画像表示装置及びテレビジョン受像機である。図１は、本実施の形態に係るテレビジョン受像機の構成を説明する図である。テレビジョン受像機３００は、画像表示装置２００、表キャビネット３１０、裏キャビネット３２０、電源回路３３０、チューナ３４０、及び、スタンド３５０を備える。
【００２８】
画像表示装置２００は、全体として横長の方形をなしている。裏キャビネット３２０は、箱形をなし、底面側に電源回路３３０及びチューナ３４０を収容して支持し、電源回路３３０及びチューナ３４０よりも開口側に画像表示装置２００を収容して支持する。表キャビネット３１０は枠状をなし、裏キャビネット３２０の開口側の周縁部を覆うようにして、裏キャビネット３２０に取り付けられている。スタンド３５０は、裏キャビネット３２０の箱形から立ち上がるように設けられている枠の一辺に取り付けられている。
【００２９】
チューナ３４０は、テレビジョン電波を受信して、受信したテレビジョン電波から映像信号を生成して画像表示装置２００に対して出力する。電源回路３３０は、チューナ３４０、及び、画像表示装置２００に対して電源を供給する。
【００３０】
図２は、本実施の形態に係る画像表示装置の構成を説明する図である。画像表示装置２００は、光源装置２１０、光学シート２９４、液晶パネル２９３、及び、ベゼル２９１を備える。
【００３１】
光源装置２１０は、光が出射される一面が開口された箱形をなす。光学シート２９４は、略矩形をなし、光源装置２１０の光が出射される一面を覆うように設けられる。液晶パネル２９３は、略矩形をなす液晶部と、液晶部の周縁の一辺に設けられている液晶を駆動させる素子とを備える。
【００３２】
ベゼル２９１は、前ベゼルと後ベゼルとを備える。後ベゼルは、枠状をなし、光学シート２９４の周縁部を覆い、光学シート２９４と光源装置２１０とを一体的に保持している。前ベゼルは、後ベゼルを収容することができる大きさの枠状をなし、素子を含む液晶パネル２９３の周辺部分を覆い、さらに、後ベゼルにより一体的に保持されている光学シート２９４と光源装置２１０、及び、液晶パネルを一体的に保持する。
【００３３】
図３は、本実施の形態に係る光源装置２１０が備える反射シートを示す図である。図４は、本実施の形態に係る光源装置が備えるＬＥＤ基板を示す図である。図５から図７は、実施の形態に係るシャーシとシャーシに取り付けられたＬＥＤ基板及び反射シートとの一部を省略した平面図及び断面図である。図５は、反射シート側から見た平面図、図６は、シャーシの短手方向の断面図、図７は、シャーシの長手方向の断面図である。
【００３４】
光源装置２１０は、反射シート１、ＬＥＤ基板２、及び、シャーシ３を備える。反射シート１は白色のシートであり、例えば、ＰＥＴ（ポリエチレンテレフタラート）、ＰＣ（ポリカーボネート）等の光反射性を有する樹脂材料により形成されている。反射シート１は、平面部１１と、平面部１１の周縁から立ち上がる傾斜部１９とを有する。平面部１１は、矩形をなしている。
【００３５】
平面部１１には、複数の貫通孔１２が設けられている。貫通孔１２は、細長い矩形をなし、長辺が平面部１１の長手方向の長さよりやや短く形成されている。それぞれの貫通孔１２は、平面部１１の長手方向に長辺を有して平面部１１の短手方向に並設されている。
【００３６】
傾斜部１９は、平面部１１と離れる方向に斜めに立ち上がるように形成されている。傾斜部１９の上縁から平面部１１と離れる方向に、平面部１１と略平行をなして張り出すように設けられる縁部１８の外縁に、シャーシ３に取り付けるための複数の取付部１８１が周方向に適当な間隔で設けられている。取付部１８１は小さな略矩形をなし、平面部１１と略平行をなして反射シート１の外側に張り出して設けられている。取付部１８１には、平面部１１の縁と略平行をなすスリット１８２が設けられている。
【００３７】
ＬＥＤ基板２は、基板２１、延出反射シート２２、ＬＥＤ２３、及び、レンズ２４を備える。基板２１は、細長い矩形をなしている。基板２１には、一面２１ａの長手方向に複数のＬＥＤ２３が一列に実装されている。
【００３８】
一面２１ａには、さらに、一面２１ａのほぼ全面を覆うように延出反射シート２２が貼り付けられている。延出反射シート２２は、基板２１の一面２１ａよりやや大きい矩形をなし、全周が基板２１の外縁よりも外側に延出するようになしてある。延出反射シート２２は、ＬＥＤ２３が実装されている箇所毎に孔が設けられている。
【００３９】
ＬＥＤ２３が実装され延出反射シート２２が被装された一面２１ａに、さらに、それぞれのＬＥＤ２３を覆うようにレンズ２４が取り付けられている。
【００４０】
シャーシ３は、例えば、金属板を成形してなる箱形をなし、略矩形をなす平板状の板部３１及び板部の周縁から垂直に立ち上がるように形成されている枠部３９を有する。枠部３９の端から箱形の外側に板部３１と略平行をなして張り出すように設けられている縁部３８には、反射シート１のスリット１８２が係合するための爪３７が設けられている。爪３７にスリット１８２が係合することにより、シャーシ３の縁部３８に反射シート１の縁部１８が重なるように反射シート１がシャーシ３に取り付けられ、シャーシ３の板部３１に平面部１１が被装するようになしてある。シャーシ３の枠部３９と板部３１及び反射シート１の傾斜部１９により形成される断面は、三角形をなしている。
【００４１】
シャーシ３の板部３１には、複数のＬＥＤ基板２が、長手方向に接続され並置されている。それぞれのＬＥＤ基板２は、基板２１が貫通孔１２の中に収まるように配され、ビス等の取付具により、板部３１に取り付けられている。基板２１に前述のように取り付けられた延出反射シート２２は、貫通孔１２の縁を覆っている。
【００４２】
図７は、図５のＶＩＩ−ＶＩＩ線による断面図であり、平面部１１が延出反射シート２２により浮き上がりを規制されている状態を示している。２点鎖線は、平面部１１が浮き上がることにより、シャーシ３から離隔した状態を示す。図７に示すように、シャーシ３から離隔した場合であっても、基板２１から延出して設けられている延出反射シート２２により、さらなる離隔を規制することができる。
【００４３】
本実施の形態によれば、反射シート１の浮き上がりをＬＥＤ基板２が備える延出反射シート２２により防止する。これにより、リベット等の留め具を使用して反射シート１をＬＥＤ基板２又はシャーシ３に留める必要がない、又は、留め具の数を減らすことができるので、留め具を用いる場合に比して製造工程を増加することがなく、むしろ製造工程を減少する。したがって、製造コストを低減することができる。
【００４４】
本実施の形態に係る反射シート１が有する貫通孔１２は、ＬＥＤ基板２が配される。ＬＥＤ基板２をシャーシ３に取り付ける取付具は、貫通孔１２内を貫通する。また、貫通孔１２は、ＬＥＤ２３毎に設けられるのではなく、ＬＥＤ基板２のほぼ全体が貫通孔１２に配置されるように設けられている。これにより、ＬＥＤ基板２が備えるＬＥＤ２３を実装する位置が異なる場合、及び、ＬＥＤ基板２をシャーシ３に取り付ける取付具の位置が異なる場合でも、反射シート１を用いることができる。
【００４５】
本実施の形態において、例えば、以下の変形でもよい。
貫通孔１２は、長辺が平面部１１の長手方向の長さより長く形成され、平面部１１及び傾斜部１９に跨がって設けられてもよい。延出反射シート２２及び貫通孔１２の形状は、必ずしも矩形でなくてもよい。延出反射シート２２は、例えば、外周の一部が、レンズ２４の外周に合わせた曲線状をなしてもよい。貫通孔１２の形状は、延出反射シート２２の形状に対応して、貫通孔１２の周縁の少なくとも一部が延出反射シート２２により覆われるようになしてあればよい。
【００４６】
（第２の実施の形態）
図８は、本実施の形態に係る反射シートの一部を省略した平面図である。図９及び図１０は、本実施の形態に係るシャーシとシャーシに取り付けられたＬＥＤ基板及び反射シートとの一部を省略した平面図及び断面図である。図９は、反射シート側から見た平面図、図１０は、シャーシの短手方向の断面図である。
【００４７】
本実施の形態は、第１の実施の形態と光源装置の構成が異なる。その他の構成は、第１の実施の形態と同一であるので、ここでは、光源装置について説明する。本実施の形態に係る光源装置は、反射シート４、ＬＥＤ基板５、及び、シャーシ６を有する。
【００４８】
反射シート４は、平面部４１と、平面部４１の周縁から立ち上がる傾斜部４９とを有する。傾斜部４９は、第１の実施の形態に係る反射シート１が有する傾斜部１９と同一の構成を有するので、ここでは説明を省略する。
【００４９】
平面部４１には、複数の貫通孔４２が設けられている。貫通孔４２は、細長い矩形をなし、長辺が平面部４１の長手方向の長さよりやや短く形成されている。貫通孔４２には、長辺の縁に矩形の突起部４３が一体に設けられている。より詳細には、並設された２つの貫通孔４２のそれぞれが有する互いに隣り合う長辺に、２つの突起部４３が背向するように設けられている。突起部４３は、貫通孔４２の長辺に複数設けられてもよい。貫通孔４２は、突起部４３を有する他は第２の実施の形態に係る貫通孔１２と同一の構成を有する。
【００５０】
ＬＥＤ基板５は、第２の実施の形態に係るＬＥＤ基板２と略同一の構成を有する。ＬＥＤ基板５は、基板５１、ＬＥＤ５３、及び、レンズ５４を備える。ＬＥＤ基板５は、延出反射シート２２が設けられていない他は、ＬＥＤ基板２と同一の構成であるので、ここでは詳細な説明を省略する。
【００５１】
シャーシ６は、第１の実施の形態に係るシャーシ３と同様に、金属板を成形してなり、略矩形をなす平板状の板部６１及び板部の周縁から垂直に立ち上がるように形成されている枠部を有する。枠部の構造は、シャーシ３の枠部３９と同一である。第１の実施の形態と同様に、反射シート４とＬＥＤ基板５とが、シャーシ６に取り付けられている。
【００５２】
シャーシ６は、板部６１に凹部６３が設けられている。凹部６３は、矩形形状をなし、シャーシ６に取り付けられた反射シート４の突起部４３に対応する位置に設けられている。凹部６３は、板部に複数設けられているとよい。
【００５３】
図１０は、図９のＸ−Ｘ線による断面図であり、凹部６３を含む断面を示している。凹部６３には、反射シート４の突起部４３が、シャーシ６とＬＥＤ基板５との間に配置されている。これにより、反射シート４は、平面部４１がシャーシ６から浮き上がることをＬＥＤ基板５により規制され、さらに、貫通孔４２の長手方向に移動することが規制される。
【００５４】
平面部４１は、板部６１にほぼ沿う平面内で主として貫通孔４２の短手方向に若干移動することができる。これにより、反射シート４は、ＬＥＤ基板５に押さえられることによる弛みや歪み等の変形を生じにくくなる。さらに、反射シート４が取り付けられたシャーシ６にＬＥＤ基板５を取り付ける際に、反射シート４が弛み等の変形を生じたままシャーシ６とＬＥＤ基板５との間に固定される虞がない。その一方で、短手方向に並設された２つの貫通孔４２のそれぞれが有する互いに隣り合う長辺に２つの突起部４３が互いに背向するように設けられていることにより、２つの突起部４３が、同時にＬＥＤ基板５により押さえられる位置から外れる方向に移動することはないので、常に、何れか一方の突起部４３により反射シート４が浮き上がることを規制することができる。
【００５５】
本実施の形態によれば、突起部４３が凹部６３と基板５１との間に格納されることにより反射シート４の若干の移動を可能にしつつ浮き上がりを防止する。これにより、リベット等の留め具を用いないようにすることができ、又は、留め具の数を減らすことができるので、製造工程を減らすことができ、製造コストを抑えることができる。
【００５６】
本実施の形態に係る反射シート４が有する貫通孔４２は、ＬＥＤ基板５をシャーシ６に取り付ける取付具が貫通する。貫通孔４２は、ＬＥＤ５３毎に設けられるのではなく、ＬＥＤ基板５のほぼ全体が貫通孔４２に配置されるように設けられている。これにより、ＬＥＤ基板５が備えるＬＥＤ５３を実装する位置が異なる場合、及び、ＬＥＤ基板５をシャーシ６に取り付ける取付具の位置が異なる場合でも、反射シート４を用いることができる。
【００５７】
本実施の形態において、例えば、以下の変形でもよい。
本実施の形態では、突起部４３と凹部６３とは、ＬＥＤ基板５の短手方向における位置がＬＥＤ５３と異なるように設けられているが、ＬＥＤ基板５の短手方向における位置がＬＥＤ５３と同じか略同一になるように設けられてもよい。これにより、ＬＥＤ５３の近傍における反射シート４の浮き上がりを確度よく防止することができる。
【００５８】
凹部６３は、突起部４３に対応する箇所に矩形をなして設けられる他に、基板５１の外周縁に対応するように細長い矩形もしくは線形、又は、枠状等の形状をなして設けられてもよい。
【００５９】
反射シート４の貫通孔４２が突起部４３を有する構成に代えて、貫通孔４２の大きさが基板５１の面よりもやや小さくなしてある構成でもよい。貫通孔４２の大きさが基板５１の面よりもやや小さくなしてある場合には、凹部６３は、基板５１の外周縁に沿って設けられる溝状をなし、貫通孔４２の周縁部が凹部６３に収容される。
【００６０】
シャーシ６が凹部６３を有する他に、基板５１の端部が凹部を有することによりシャーシ６との間に隙間が設けられている構成でもよい。基板５１に設けられた凹部とシャーシ６との間に、貫通孔４２の縁部又は突起部４３が配置されることにより、反射シート４がシャーシ６より離隔する方向に移動することを規制し、さらに、反射シート４が取り付けられたシャーシ６にＬＥＤ基板５を取り付ける際に、反射シート４が弛み等の変形を生じたままシャーシ６とＬＥＤ基板５との間に固定される虞がない。
【００６１】
（第３の実施の形態）
図１１は、本実施の形態に係る反射シートを示す図である。図１２は、本実施の形態に係るシャーシとシャーシに取り付けられたＬＥＤ基板５及び反射シートとの一部を省略した平面図である。
【００６２】
本実施の形態は、第１の実施の形態と光源装置の構成が異なる。その他の構成は、第１の実施の形態と同一であるので、ここでは、光源装置について説明する。本実施の形態に係る光源装置は、反射シート７、ＬＥＤ基板５、及び、シャーシ９を有する。ＬＥＤ基板５の構成は、第２の実施の形態と同一であるので、ここでは詳細な説明を省略する。
【００６３】
反射シート７は、平面部７１と、平面部７１の周縁から立ち上がる傾斜部７９とを有する。平面部７１は、矩形をなしている。
【００６４】
平面部７１には、複数の貫通孔７２が設けられている。貫通孔７２は、細長い矩形をなしている。複数の貫通孔７２は、平面部７１の長手方向に長辺を有して平面部７１の長手方向に少なくとも２つ以上が並設されている。これにより、平面部７１の長手方向に並設された２つの貫通孔７２の間の部分である連続部７３は、平面部７１の短手方向において、シート材が連続している。貫通孔７２は、さらに、短手方向にも並設されている。
【００６５】
傾斜部７９は、第１の実施の形態に係る反射シート１が有する傾斜部１９と同一の構成を有するので、ここでは説明を省略する。
【００６６】
シャーシ９は、第１の実施の形態に係るシャーシ３と同様に、金属板を成形してなる箱形をなし、略矩形をなす平板状の板部、及び、枠部を有する。枠部は、第１の実施の形態の枠部３９と同一の構成である。板部には、凹部９３が設けられている。凹部９３は、略矩形をなしている。凹部９３は、連続部７３に対応して、板部に複数設けられているとよい。
【００６７】
反射シート７は、第１の実施の形態に係る反射シート１と同様にシャーシ９に取り付けられ、平面部７１がシャーシ９の板部に被装するようになしてある。連続部７３は、シャーシ９の凹部９３に収まるようになしてある。
【００６８】
シャーシ９の板部には、複数のＬＥＤ基板５が長手方向に接続されたものが並置されている。接続された複数のＬＥＤ基板５は、反射シート７の平面部７１の長手方向に並設されている複数の貫通孔７２と一以上の連続部７３とを含む位置に配置されている。ＬＥＤ基板５は、貫通孔７２を貫通するビス等の取付具により、シャーシ９の板部に取り付けられている。これにより、反射シート７が、シャーシ９の板部から離隔する方向へ浮き上がることを基板５１により規制されている。
【００６９】
また、凹部９３と基板５１との間に、連続部７３が配置されるので、反射シート７は、シャーシ９の板部にほぼ沿う平面内で平面部７１が若干移動することができる。これにより、反射シート７は、ＬＥＤ基板５に押さえられることによる弛みや歪み等の変形を生じにくくなる。さらに、反射シート７が取り付けられたシャーシ９にＬＥＤ基板５を取り付ける際に、平面部７１が弛み等の変形を生じたまま連続部７３がシャーシ９とＬＥＤ基板５との間に固定される虞がない。
【００７０】
さらに、一つの連続部７３が、一枚のＬＥＤ基板５又は接続された複数のＬＥＤ基板５と、シャーシ９との間に配置されるので、平面部７１が若干移動したとしても、一つの連続部７３の全体が、ＬＥＤ基板５により浮き上がりを押さえられる位置から移動することがない。これにより、確実に平面部７１の浮き上がりを防ぐことができる。
【００７１】
なお、一つの連続部７３を押さえるのは、一つのＬＥＤ基板５であることが望ましい。これにより、例えば、二つのＬＥＤ基板５の接続部分を含む箇所により浮き上がりを押さえる場合に比して、堅固に平面部７１の浮き上がりを防ぐことができる。
【００７２】
本実施の形態によれば、連続部７３が凹部９３と基板５１との間に格納されることにより反射シート７の浮き上がりを防止する。これにより、リベット等の留め具を用いないようにすることができ、又は、留め具の数を減らすことができるので、製造工程を減らすことができ、製造コストを抑えることができる。
【００７３】
本実施の形態に係る反射シート７が有する貫通孔７２は、ＬＥＤ基板５をシャーシ９に取り付ける取付具が貫通する。貫通孔７２は、ＬＥＤ５３毎に設けられるのではなく、ＬＥＤ基板５が備えるＬＥＤ５３の少なくとも２個以上に対応して設けられている。これにより、ＬＥＤ基板５が備えるＬＥＤ５３を実装する位置が異なる場合、及び、ＬＥＤ基板５をシャーシ６に取り付ける取付具の位置が異なる場合でも、反射シート７を用いることができる。
【００７４】
本実施の形態において、例えば、以下の変形でもよい。
貫通孔７２の形状は、必ずしも矩形でなくてもよく、隣り合う２つの貫通孔７２の間の部分である連続部７３が、ＬＥＤ基板５により浮き上がりを押さえられるようになしてあればよい。また、本実施の形態においては、複数のＬＥＤ基板５が長手方向に接続されている。そこで、一つの連続部７３を押さえるのは、一のＬＥＤ基板５でもよく、接続された複数のＬＥＤ基板５が有する隣り合う２つのＬＥＤ基板５でもよい。
【００７５】
（第４の実施の形態）
第４の実施の形態は、ＬＥＤ基板を片面実装基板として実現することを説明する。第１から第３の実施の形態では、電力を供給する接続部が基板のどちらの面に実装されているかについては、考慮されていない。本実施の形態では、接続部がＬＥＤと同一の面に実装されている。図１３及び図１４は、本実施の形態に係る反射シート、ＬＥＤ基板、及び、それらが取り付けられたシャーシの一部を省略した平面図及び断面図である。図１３は、平面図であり、図１４は、断面図である。
【００７６】
本実施の形態は、第１の実施の形態と光源装置の構成が異なる。その他の構成は、第１の実施の形態と同一であるので、ここでは、光源装置について説明する。本実施の形態に係る光源装置は、反射シート８、ＬＥＤ基板１０、及び、シャーシ３を有する。
【００７７】
反射シート８は、平面部８１と、平面部８１の周縁から立ち上がる傾斜部８９とを有する。平面部８１は、矩形をなしている。
【００７８】
傾斜部８９は、平面部８１の反射面と離れる方向に斜めに立ち上がるように形成されている。傾斜部８９には、第１の実施の形態と同様に、縁部１８が設けられ、さらに、スリット１８２を有する取付部１８１が縁部１８に設けられている。
【００７９】
平面部８１及び傾斜部８９に跨がって、複数の貫通孔８２が設けられている。貫通孔８２は、細長い矩形をなしている。それぞれの貫通孔８２は、平面部８１の長手方向に長辺を有して短手方向に並設されている。貫通孔８２の長手方向の一端８２ａは、傾斜部８９に含まれている。
【００８０】
ＬＥＤ基板１０は、基板１０１、延出反射シート１０２、ＬＥＤ１０３、レンズ１０４、及び、接続部１０５を備える。基板１０１は、細長い矩形をなしている。基板１０１には、一面１０１ａの長手方向に複数のＬＥＤ１０３が一列に実装されている。基板１０１には、さらに、一方の端部にＬＥＤ１０３に電力を供給する接続部１０５を備えている。
【００８１】
一面１０１ａには、さらに、一面１０１ａのほぼ全面を覆うように延出反射シート１０２が貼り付けられている。延出反射シート１０２は、基板１０１の一面１０１ａより短手方向の長さがやや長い矩形をなしている。延出反射シート１０２の外周は、基板１０１の少なくとも接続部１０５が設けられていない３辺で基板１０１の外縁よりも外側に延出するようになしてある。延出反射シート１０２は、接続部１０５が設けられている側の端部が、基板１０１より離隔する方向に浮き上がっている。接続部１０５が設けられている側の端部において、延出反射シート１０２は、接続部１０５を覆う長さに延出してあってもよく、接続部１０５を覆わない長さになしてあってもよい。延出反射シート１０２は、ＬＥＤ１０３が実装されている箇所毎に孔が設けられている。
【００８２】
ＬＥＤ１０３が実装され延出反射シート１０２が被装された一面１０１ａに、さらに、それぞれのＬＥＤ１０３を覆うようにレンズ１０４が取り付けられている。
【００８３】
シャーシ３は、第１の実施の形態と同一の構造を有する。反射シート８は、スリット１８２がシャーシ３の爪３７に係合することにより、シャーシ３の縁部３８に反射シート８の縁部１８が重なるようにシャーシ３に取り付けられ、シャーシ３の板部３１に平面部８１が被装されている。シャーシ３の枠部３９と板部３１及び反射シート８の傾斜部８９により形成される断面は、三角形をなしている。
【００８４】
長手方向に接続された複数のＬＥＤ基板１０は、貫通孔８２に対応する位置毎に、シャーシ３の板部に並列に配されて取り付けられている。複数のＬＥＤ基板１０が接続された両端は、貫通孔８２が平面部８１と傾斜部８９とに跨がって設けられていることにより、枠部３９、板部３１、及び、傾斜部８９により形成される空間に配されている。延出反射シート１０２は、接続された複数のＬＥＤ基板１０の両端で貫通孔８２の一端８２ａを覆っている。すなわち、接続部１０５は、延出反射シート１０２及び傾斜部８９のうちの少なくとも一方により覆われている。
【００８５】
本実施の形態によれば、ＬＥＤ基板１０が、端部に接続部１０５を備えている場合であっても、延出反射シート１０２が、貫通孔８２の一端８２ａを覆うことにより、反射シート８の浮き上がりを規制する。さらに、枠部３９、板部３１、及び、傾斜部８９により形成される空間に接続部１０５が配されることにより、ＬＥＤ基板１０を、片面実装基板にすることができ、製造コストを低減することができる。
【００８６】
本実施の形態において、例えば、以下の変形でもよい。
貫通孔８２は、第１の実施の形態のように、平面部８１の長手方向に、一つずつ設けられてもよく、第３の実施の形態のように、平面部８１の長手方向に複数の貫通孔８２が並置されてもよい。貫通孔８２が、第３の実施の形態のように設けられる場合には、反射シート８の平面部８１に設けられる複数の貫通孔８２のうち、長手方向の両端に設けられる貫通孔８２の一端が、傾斜部８９に含まれる。
【００８７】
なお、上記第１から第４の実施の形態では、ＬＥＤ基板を取り付けて支持する支持体として、シャーシを用いている。これにより、ＬＥＤの発熱を、ＬＥＤ基板からシャーシへと効率的に伝えることができ、放熱効果を高めることができる。
【００８８】
上記第１から第４の実施の形態では、複数のＬＥＤ基板を並置して光源装置を構成している。これにより、画像表示装置のバックライト装置として用いる場合に、サイズの異なる画像表示装置のバックライト装置を製造することが容易になる。
【００８９】
本願発明の「支持面」は、上記第１から第４の実施の形態におけるシャーシの「板部」に対応する。
【００９０】
以上、発明を実施するための形態について説明を行ったが、本発明は、この発明を実施するための形態で述べた実施形態に限定されるものではない。本発明の主旨をそこなわない範囲で変更することが可能である。複数の実施の形態の組み合わせでもよい。
【符号の説明】
【００９１】
１        反射シート
１１      平面部
１２      貫通孔
１８      縁部
１８１    取付部
１８２    スリット
１９      傾斜部
２        ＬＥＤ基板
２１      基板
２１ａ    一面
２２      延出反射シート
２３      ＬＥＤ
２４      レンズ
３        シャーシ
３１      板部
３７      爪
３８      縁部
３９      枠部
４        反射シート
４１      平面部
４２      貫通孔
４３      突起部
４９      傾斜部
５        ＬＥＤ基板
５１      基板
５３      ＬＥＤ
５４      レンズ
６        シャーシ
６１      板部
６３      凹部
６９      枠部
７        反射シート
７１      平面部
７２      貫通孔
７３      連続部
７９      傾斜部
８        反射シート
８１      平面部
８２      貫通孔
８２ａ    一端
８９      傾斜部
９        シャーシ
９３      凹部
１０      ＬＥＤ基板
１０１    基板
１０１ａ  一面
１０２    延出反射シート
１０３    ＬＥＤ
１０４    レンズ
１０５    接続部
２００    画像表示装置
２１０    光源装置
２９１    ベゼル
２９３    液晶パネル
２９４    光学シート
３００    テレビジョン受像機
３１０    表キャビネット
３２０    裏キャビネット
３３０    電源回路
３４０    チューナ
３５０    スタンド
【図１】
2012104232.tif 000003
【図２】
2012104232.tif 000004
【図３】
2012104232.tif 000005
【図４】
2012104232.tif 000006
【図５】
2012104232.tif 000007
【図６】
2012104232.tif 000008
【図７】
2012104232.tif 000009
【図８】
2012104232.tif 000010
【図９】
2012104232.tif 000011
【図１０】
2012104232.tif 000012
【図１１】
2012104232.tif 000013
【図１２】
2012104232.tif 000014
【図１３】
2012104232.tif 000015
【図１４】
2012104232.tif 000016